(57)【特許請求の範囲】
【請求項１】
情報ユニットを連続して記録するための所定の位置を示すトラック位置情報を含む記録トラックを有する光ディスク上に、少なくとも１つの情報ユニットを表す情報信号を記録する方法であって、前記トラック位置情報は前記情報ユニットの開始の位置を示す同期マークを有し、前記所定の位置の第１の１つは前に記録された情報信号を有し、該前に記録された情報信号は少なくとも１つの誤り訂正符号ブロックを有し、各誤り訂正符号ブロックは１つの情報ユニットに対応し且つ連続フレームを有し、各フレームはデータワード及び誤り訂正ワードを有し、該誤り訂正ワードは、前記前に記録された情報信号の前記誤り訂正符号ブロックで、ランダムエラーのような小さな誤りを訂正し且つフレームにおいてパリティバイトで構成される第１層及びバースト誤りのような長い誤りを訂正する第２層の２層のエラー訂正を形成する方法において、前記方法は、
（ａ）記録される情報信号から、各誤り訂正符号ブロックが、記録される１つの情報ユニットに対応し且つ各フレームがデータワード及び誤り訂正ワードを含む連続したフレームを有する少なくとも１つの誤り訂正符号ブロックを有する変調された信号を発生するステップであって、前記誤り訂正ワードは、前記前に記録された情報信号の前記誤り訂正符号ブロックで、ランダムエラーのような小さな誤りを訂正し且つフレームにおいてパリティバイトで構成される第１層及びバースト誤りのような長い誤りを訂正する第２層の２層のエラー訂正を形成し、各フレームは同期信号から始まり、各誤り訂正符号ブロックにおける第１の同期信号は当該誤り訂正符号ブロックの開始であるステップと、
（ｂ）記録される前記変調された信号の第１の同期信号が、前記記録トラックで同期マークによって決定される第２の所定の位置の開始の位置に位置付けられる公称位置に記録されるように、前記記録トラックを走査し且つ、前記変調された信号を前記所定の位置の第２の1つに記録するステップと、
（ｃ）前記変調された信号の始まりと前記第１の同期信号との間の第１の所定の距離を得るように、前記第１の同期信号に先行するリンキング領域に書き込まれるデータを、記録される前記変調された信号の前記第１の同期信号の前に含めて、前記変調された信号で再生装置の読出し及び復号手段のチャネル電子回路を調整し且つ同期させるステップと、
（ｄ）前記所定の位置の前記第２の１つが前記所定の位置の前記第１の１つの後ろにあり且つ隣接している場合に、前記公称位置の前の前記第１の所定の距離にあるリンク位置で前記変調された信号の記録を開始するステップと
を有し、
前記第１の所定の距離は、１フレームで前記誤り訂正ワードに基づいて前記第１層のエラー訂正によって訂正可能な最大値より少ないワードを有する前記変調された信号の部分に対応する、ことを特徴とする方法。
【請求項２】
前記所定の位置の後続する１つにある次の誤り訂正符号ブロックの第１の同期信号の公称位置の前の第２の所定の距離において、前記変調された信号が完全に記録される前に、前記記録は終了され、
前記第２の所定の距離は、１フレームで前記誤り訂正ワードに基づいて訂正可能な最大値より少ないワードを有する前記変調された信号の部分に対応する、請求項１記載の方法。
【請求項３】
前記リンキング領域に書き込まれる前記データはランダムデータを有する、請求項１記載の方法。
【請求項４】
前記リンク位置はランダムにシフトされる、請求項１記載の方法。
【請求項５】
前記変調された信号は、前記データワード及び前記誤り訂正ワードを表すチャネルワードを有し、
前記第１の所定の距離又は前記第２の所定の距離は実質的にチャネルワードの半分の長さに対応する、請求項２記載の方法。
【請求項６】
前記第２の所定の距離は、前記第１の所定の距離と等しいか、又はそれより短い、請求項２記載の方法。
【請求項７】
前記公称位置に前記第１の同期信号を記録するとともに、最小値と最大値との間の前記第１の所定の距離を可変的に選択するステップを有する請求項１記載の方法。
【請求項８】
前記所定の位置の前記第２の１つが未記録領域の後ろにあり且つ隣接している場合に、ダミーデータを有する少なくとも３つのフレームを前記変調された信号に含め、実質的に前記第１の所定の距離より大きく且つ前記少なくとも３つのフレームの長さに対応する第３の所定の距離で前記記録を開始するステップを有する請求項１記載の方法。
【請求項９】
前記第３の所定の距離は誤り訂正符号ブロックの長さに対応し、当該方法は、ダミーデータを有する前記誤り訂正符号ブロックを前記変調された信号に含めるステップを有する、請求項８記載の方法。
【請求項１０】
情報ユニットを連続して記録するための所定の位置を示す予め形成されたトラック位置情報を含む記録トラックを有する光ディスク上に、少なくとも１つの情報ユニットを表す情報信号を記録する装置であって、前記トラック位置情報は前記情報ユニットの開始の位置を示す同期マークを有し、前記所定の位置の第１の１つは前に記録された情報信号を有する装置において、前記装置は、
情報信号から、各誤り訂正符号ブロックが、１つの情報ユニットに対応し且つ各フレームがデータワード及び誤り訂正ワードを含む連続したフレームを有する少なくとも１つの誤り訂正符号ブロックを有する変調された信号を発生するフォーマット及び変調手段であって、前記誤り訂正ワードは、前記前に記録された情報信号の前記誤り訂正符号ブロックで、ランダムエラーのような小さな誤りを訂正し且つフレームにおいてパリティバイトで構成される第１層及びバースト誤りのような長い誤りを訂正する第２層の２層のエラー訂正を形成し、各フレームは同期信号から始まり、各誤り訂正符号ブロックにおける第１の同期信号は当該誤り訂正符号ブロックの開始である前記フォーマット及び変調手段と、
記録される前記変調された信号の第１の同期信号が、前記記録トラックで同期マークによって決定される第２の所定の位置の開始の位置に位置付けられる公称位置に記録されるように、前記記録トラックを走査し且つ、前記変調された信号を前記所定の位置の第２の1つに記録する記録手段とを有し、
前記記録手段は、前記変調された信号で再生装置の読出し及び復号手段のチャネル電子回路を調整し且つ同期させるために、リンキング領域に書き込まれるデータを、記録される前記変調された信号の前記第１の同期信号の前に含め、前記リンキング領域の始まりと前記変調された信号の第１の誤り訂正符号ブロックの第１の同期信号との間の第１の所定の距離を得、且つ、前記所定の位置の第２の１つが前記所定の位置の第１の１つの後ろにあり且つ隣接しているかどうかを決定し、そのような場合に、前記公称位置の前の第１の所定の距離にあるリンク位置で前記変調された信号の記録を開始するよう配置され、
前記第１の所定の距離は、１フレームで前記誤り訂正ワードに基づいて前記第１層のエラー訂正によって訂正可能な最大値より少ないワードを有する前記変調された信号の部分に対応する、ことを特徴とする装置。
【請求項１１】
前記記録手段は、前記所定の位置の後続する１つにある次の誤り訂正符号ブロックの第１の同期信号の公称位置の前の第２の所定の距離において、前記変調された信号が完全に記録される前に、前記記録を終了するよう配置され、
前記第２の所定の距離は、１フレームで前記誤り訂正ワードに基づいて訂正可能な最大値より少ないワードを有する前記変調された信号の部分に対応する、請求項１０記載の装置。
【請求項１２】
前記記録手段は、前記リンキング領域に前記書き込まれるデータを、ランダムデータを有して含めるよう配置される、請求項１０記載の装置。
【請求項１３】
前記記録手段は、前記リンク位置をランダムにシフトするよう配置される、請求項１０記載の装置。
【請求項１４】
前記変調された信号は、前記データワード及び前記誤り訂正ワードを表すチャネルワードを有し、
前記第１の所定の距離又は前記第２の所定の距離は実質的にチャネルワードの半分の長さに対応する、請求項１１記載の装置。
【請求項１５】
前記第２の所定の距離は、前記第１の所定の距離と等しいか、又はそれより短い、請求項１１記載の装置。
【請求項１６】
前記記録手段は、前記公称位置に前記第１の同期信号を記録するとともに、最小値と最大値との間の前記第１の所定の距離を可変的に選択するよう配置される、請求項１０記載の装置。
【請求項１７】
前記記録手段は、前記所定の位置の少なくとも１つが未記録領域の後ろにあり且つ隣接している場合に、ダミーデータを有する少なくとも３つのフレームを前記変調された信号に含め、前記第１の所定の距離よりも実質的に大きく且つ前記少なくとも３つのフレームの長さに対応する第３の所定の距離において前記記録を開始するようになされた請求項１１記載の装置。
【請求項１８】
前記第３の所定の距離は、誤り訂正符号ブロックの長さに対応し、前記記録手段は、ダミーデータを有する前記誤り訂正符号ブロックを前記変調された信号に含めるよう配置される、請求項１７記載の装置。
【請求項１９】
装置は、オーディオ及び/又はビデオのようなディジタル又はアナログ入力信号を、情報のユニットに処理又は圧縮する手段を有する請求項１０記載の装置。
【発明の詳細な説明】
【０００１】
本発明は、情報ユニットを連続して記録するための所定の位置を示し且つ前記位置の第１の1つは前に記録された情報信号を含む予め形成されたトラック位置情報を含む記録トラックを有する記録担体上に、少なくとも1つの情報ユニットを表す情報信号を記録する方法であって、前記方法は：情報信号から、各フレームが同期信号を含む連続したフレームを有する変調された信号を発生するステップと：トラック位置情報と同期信号の間の固定の関係を維持するように記録を制御しながら、前記記録トラックを走査し且つ、変調信号を前記位置の第２の1つに記録するステップとを有する方法に関する。
【０００２】
更に本発明は、情報ユニットを連続して記録するための所定の位置を示し且つ前記位置の第１の1つは前に記録された情報信号を含む予め形成されたトラック位置情報を含む記録トラックを有する記録担体上に、少なくとも1つの情報ユニットを表す情報信号を記録する装置であって、前記装置は、情報信号から、各フレームが同期信号を含む連続したフレームを有する変調された信号を発生する変調手段と、前記記録トラックを走査し且つ、変調信号を前記位置の第２の1つに記録し、且つ、前記記録中にトラック位置情報と同期信号の間の固定の関係を維持する記録手段とを有する装置に関する。
【０００３】
記録担体上に、連続して情報信号を記録する方法及び装置は、米国特許番号ＵＳ５，１８７，６９９より知られている。情報信号は、予め記録されたトラック位置情報により示される所定の位置で、トラック内の変調信号の位置を決定するための同期信号を有するフレーム構造の変調信号に変調される。記録担体上のトラック内の隣接領域に信号を連続して記録する処理は、リンキングと呼ばれる。既知のリンキング方法では、最初の記録信号が完全に記録された後に、記録処理は、変調信号の最後のフレーム後、リンク位置まで記録処理が続けられる。次の情報信号が記録されるときには、次の所定の位置の開始までダミー情報（通常はゼロデータ）を記録することにより、リンク位置で記録処理が開始される。従って、前記次の位置の第１のフレーム同期信号の前の信号は、有効な情報を含まない。この結果、第１の記録信号と第２の記録信号の間に、前記リンク位置を含むいわゆるリンキングブロックが形成される。従って、リンキングブロックは、有効な記録情報を有しておらずデータ蓄積容量が失われる。
【０００４】
本発明は、リンキングを更に効率的に行う記録装置及び方法を提供することを目的とする。
【０００５】
このために、前文で記載した方法は、前記位置の第２の１つが前記位置の第１の１つの後ろにあり且つ隣接している場合には、前に記録された情報信号の最後のフレームの終了前に、変調信号の第１の同期信号前の第１の所定の距離において、記録が開始されることを特徴とする。更に、前文で記載した装置は、記録手段は、前記位置の第２の１つが前記位置の第１の１つの後ろにあり且つ隣接しているかどうかを決定し、そのような場合には、前に記録された情報信号の最後のフレームの終了前に、変調信号の第１の同期信号前の第１の所定の距離において、記録を開始することを特徴とする。前の記録信号の最後の部分内で記録を開始することにより、次の隣接領域、即ち、第２の位置の信号は、公称位置に配置され、且つ、第２の位置に記録された新たなデータを復号する復号回路により要求される第１の同期信号を完全に含む。従って、第２の位置で変調された信号は、完全に復号可能である。実際に、リンク位置は存在する記録された情報内に配置され、これゆえ、第１の位置にある変調された信号はごく最後の部分のみ損害を受ける。しかし、これは、前に記録された情報ユニットの最後のシンボルに少しの誤りを発生するが、これは、全リンキング領域を失うよりは好ましい。誤りは、システムにとっては許容でき或は、誤り保護システムが前記誤りの訂正に適用できる。本発明の手段は、最後の記録された信号を含む第２の位置が、前に存在する信号を含む第１の位置に直接隣接しているので、リンキングブロックが生成されず且つ蓄積容量が失われないという優位性がある。更に、どのような記録されたデータストリームも、リンキングブロックからの無効なデータにより中断されず、例えば、ＤＶＤ−ＲＯＭ又は、ＤＶＤ−ＶＩＤＥＯのような現在存在する読出し専用記録担体と、良好な互換性がある。
【０００６】
本発明は、以下の認識に基づいている。通常のチャネル符号化と復号システムはシンボル（例えば、８又は１６チャネルビット）で動作するようになされている。実際には１ビット以下の正確さで記録処理を開始することはできないので、復号中にリンク位置からの読出し信号が復号されているときに、復号器は、いわゆる数ビットのビットスリップである、シンボル境界の移動に直面する。この結果、復号器は、次の同期信号まで、フレームの残りの部分の全シンボルに対して、誤りを検出する。従来のシステムでは、リンキングブロックは有益なデータは含んでいなかったので、これは何の問題もなかった。しかし、発明者は、リンキング位置を存在するフレームの最後の部分に選択することにより、僅かな誤りのみが起こり、これは更に最新の誤り訂正符号により訂正可能であると考えている。
【０００７】
請求項４に従った装置の好適な実施例は、前の隣接して存在する記録に対して新たな記録が行われたときに、存在する記録の第１の同期信号が損害を受けず、且つ、最後の記録信号の復号中に、予測的なそして少ない数の誤りのみが発生されるという、優位点を有する。
【０００８】
請求項９に従った装置の好適な実施例は、記録の物理的な開始点を変化させることができるという優位点がある。これは、データは実際の位置からシフトされずに、読出し信号値を乱すことを防ぐことができるという効果がある。
【０００９】
請求項１０に従った装置の好適な実施例は、前記期間に固定パターンの代わりに可変ランダムデータを使用することにより、同じ位置での後のオーバーライトサイクルに対して、同期信号の符号をランダムに変えることができる。従って、同じパターンの繰返し書き込みによる前記位置の記録層の材料の欠陥を防ぐことができる。
【００１０】
本発明に従った、更なる優位な好ましい実施例が、更なる独立請求項に記載されている。
【００１１】
本発明の特徴は、図を参照して、以下に説明する実施例を参照して、更に明らかとなろう。
【００１２】
異なる図において、対応する要素は同一の参照番号を有する。
【００１３】
図１ａは、トラック９と中央孔１０を有するディスク状記録担体を示す。トラック９は、情報層の実質的に平行なトラックを構成する螺旋パターンに従って配置される。記録担体は光学的に読出し可能であり、光ディスクと呼ばれ、レコーダブル形式の情報層を有する。レコーダブルディスクの例は、ＣＤ−Ｒ及び、ＣＤ−ＲＷ及び、ＤＶＤ＋ＲＷのようなＤＶＤのライタブル版である。情報は、トラックに沿って、例えば、相変化材料の結晶又はアモルファスマークのように、光学的に検出可能なマークを記録することにより、情報層上に表される。レコーダブル形式の記録担体上のトラック９は、未記録記録担体の製造中に設けられるプリエンボストラック構造により示される。トラック構造は、例えば、読出し／書き込みヘッドが走査中にトラックを追従することを可能とするプリグルーブ１４により構成される。トラック構造は、通常はブロックと呼ばれる、情報のユニットの位置を示すための例えばアドレスのような位置情報を有する。位置情報はそのようなユニットの開始の位置を捜すための特定の同期マークを有する。
【００１４】
図１ｂは、レコーダブル形式の記録担体１１の線ｂ−ｂに沿った断面図を示す。記録層１６及び、保護層１７を伴う、透明基板１５が設けられている。プリグルーブ１４は、くぼみ部又は隆起部又は、周辺の材料特性の変位として実行される。
【００１５】
記録担体１１は、フレームを有する変調信号により表される情報を担う。フレームは、同期信号の後ろに続く予め定められた量のデータである。通常は、そのようなフレームは、例えば、パリティワードような、誤り訂正符号も有する。そのような記録システムは、ＤＶＤシステムから知られており、フレームは、１７２データワードと１０パリティを有する。その例は以下に示す。データは、ユニットのユーザ情報内の誤りを訂正する誤り訂正符号（ＥＣＣ）を含む幾つかのフレームを有するユニットで構成される。ＤＶＤでは、ユニットのサイズは３２ｋＢであり、２層のエラー訂正を含み、ブロックと呼ばれる。第１層の誤り訂正は（Ｃ１と呼ばれる）、ランダムエラーのような小さな誤りを訂正し、第２層（Ｃ２と呼ばれる）は、バースト誤りのような長い誤りを訂正する。ドライブはそのようなブロックを独立に書き込み及び／又は再書き込みできる。本発明にしたがって、リンキングのみにはブロックを使用せず、全ブロックはユーザデータを蓄積するのに使用される。これは、リンク位置がデータの完全さを保証するために定義されねばならないことを意味する。通常はリンク位置に幾つかの誤りがあるが、しかし、目的はそのようなリンク位置の誤りの量を最小にすることである。以下の項目は、リンク位置の選択に重要である。
−ディスク上に既に書かれたデータに関して達成できる（チャネルビットの）書き込みの正確さ。
−誤り訂正に関する数ビット誤りの効果。
−リンク位置に書かれるデータの内容。
−同じデータをオーバーライトすることにより起こる物理的な損害。
【００１６】
ビットスリップが、誤り訂正で保護されているデータと共同して発生した場合には、ビットスリップの位置が非常に重要であるということが、主に考慮することである。ＤＶＤでは、３２ｋＢのＥＣＣユニットに分割され、誤り訂正はチャネルワード又は、バイトで動作する。（例えば、リンキング点後に）ワード境界が１つ又は幾つかのビットだけシフトした場合には、全てのワードが異なり、誤り訂正は行えない。これはビットスリップと呼ばれる。Ｃ１コードワードは、誤り訂正の１つのローを示し、そして、誤りを検出及び訂正できる。Ｃ１コードワードの先頭でのビットスリップは、ビットスリップ後の全てのバイトを破壊する。誤り訂正能力は制限されており、結果は、全Ｃ１コードワードは訂正不能である。第２の層（Ｃ２）は、誤りを訂正することが要求される。Ｃ１コードワードの最後でビットスリップが発生した場合には、誤りの数は限定されており、誤り訂正は誤りを訂正できる。誤り訂正の第２の層は、誤りの訂正に必要とされず、他の誤りに対して使用できる。このために、リンク位置は、前のＥＣＣユニットの最後のＣ１コードワードの最後の位置が好ましい。
【００１７】
図３は、ブロックＮ−１後のブロックＮによるリンク位置を示す。リンク位置３１は、ＤＶＤフォーマットではＳｙ０と呼ばれる、同期信号３０の３２チャネルビット前の破線で示されている。ＤＶＤでは、第１の誤り訂正層は、１７２データバイトと１０パリティバイトで構成される。１０パリティバイトで、最大５バイトの誤りが訂正できるが、しかし、更に実際的な制限では、４バイト誤り以下である。この結果、ＥＣＣブロックＮ−１とＥＣＣブロックＮのリンキングは、ＥＣＣブロックＮ−１の最後の４バイト後で且つブロックＮの開始前に位置する。３２チャネルビットで示される位置は、２バイト（ＤＶＤでは、１バイトは１６チャネルビットを有する）であり、リンク位置の不正確さの最大の許容値を与える。一般的には、リンク位置は同期信号前に可能な限り近くに選択されうるが、一方、前向きの方向で、書き込みリンク位置の開始の不正確さに関わらず、新たな情報は常に古い同期信号をオーバーライトすることを確実にする。相応して、既に存在する情報ユニットの前の書き込みの最後で、新たな情報は、前記既に存在する情報ユニットの次の同期信号に損害を与えるべきでない。情報ユニットの最後のチャネルワードは、通常はパリティシンボル（上述のパリティバイトと呼ばれる）を表すので、これゆえ、最少数のパリティシンボルが損害を受ける。実施例では、前向き及び後向きの期待されるリンク位置の不正確さが１チャネルワード内に制限されているときには、リンキング誤りは１シンボル内の誤りに制限される。リンク位置は、最大の前向き及び、後向きの不正確さを考慮して、最後のチャネルワード内で同期信号前に設定される。対称な前向き及び、後向きのリンク位置の不正確さが見こめるならば、リンク位置の実際の値は、最後のチャネルワードの真中である。１６チャネルビットのチャネルワードに関しては、情報ユニットの最後の雨の８チャネルビットとなる。
【００１８】
図２は、（再）書き込み可能な形式の記録担体１１上に情報を書き込む記録装置を示す。装置には、記録担体１１を回転させる駆動手段２１、ヘッド２２、トラック上の半径方向にヘッド２２の位置を粗く決める位置決め手段２５、及び、制御部２０を有する、記録担体上のトラックを走査する記録手段が設けられている。ヘッド２２は、記録担体の情報層のトラック上に放射スポット２３の焦点を合わせる光学部品を通して案内される放射ビーム２４を発生する、既知の形式の光学系を有する。放射ビーム２４は、例えば、レーザダイオードのような放射源により発生される。ヘッドは更に、前記ビームの光軸に沿って放射ビーム２４の焦点を移動するフォーカスアクチュエータと、トラックの中心で、半径方向にスポット２３の位置を精密に調整するトラッキングアクチュエータを更に有する。トラッキングアクチュエータは、光学部品を半径方向に移動させるコイルを有するか又は、反射部品の角度を変化させるようになされる。情報を書き込むためには、放射は、記録層に光学的に検出可能なマークを形成するように制御される。読み出すためには、情報層により反射された放射が、例えば、四分円ダイオードのような通常の形式の検出器により検出され、ヘッド２２の中で、読出し信号と、前記トラッキング及びフォーカスアクチュエータに接続されるトラッキングエラー及び、フォーカスエラー信号を含む検出信号が発生される。情報を取り出すために、読出し信号は通常の手段（図示していない）で処理される。装置は、ヘッド２２を駆動するための書き込み信号を発生するために入力情報を処理する手段を有する。入力情報を処理する手段は、入力部２７、フォーマット部２８及び、変調部２９を有する。制御装置２０は、情報の記録及び取り出しを制御し、且つユーザ又はホストコンピュータからの命令を受信するようになされる。制御装置２０は、例えば、システムバスの制御線２６を介して、前記手段及び、駆動手段２１及び、位置決め手段２５へ接続される。制御装置２０は、図３を参照して以下で説明する本発明に従った手続と機能を行うための、例えば、マイクロプロセッサ、プログラムメモリ、及び、制御ゲートのような制御回路を有する。制御装置２０は、論理回路のステートマシンとして実行もできる。書き込み動作中に、情報を表すマークが記録担体上に形成される。マークは、例えば、色素、合金又は、相変化材料に記録されるときに得られる周囲からの反射係数の差又は、光磁気材料の記録で得られる周囲との磁化の方向の異なる領域の形式のように、どのような光学的に読み出し可能な形式でも良い。光ディスク上に記録する情報の書き込み及び読出し，及び、使用できるフォーマット、誤り訂正及びチャネル符号化規則は、例えば、ＣＤシステムのような技術から知られている。マークは、通常はレーザダイオードからの電磁放射のビーム２４を介して、記録層上に発生されたスポ２３により形成できる。ユーザ情報は、入力部２７に入力される。入力部２７は、例えば、アナログオーディオ及び／又はビデオ又は、ディジタル未圧縮オーディオ／ビデオのような入力信号に対する圧縮手段を有してもよい。好ましい圧縮手段は、オーディオに関してはＷＯ９８／１６０１４−Ａ１（ＰＨＮ１６４５２）に記載され、ビデオに関してはＭＰＥＧ２規格である。入力部２７は、オーディオ及び／又はビデオを情報のユニットに処理し、制御データの付加と記録フォーマットに従って、例えば、誤り訂正符号（ＥＣＣ）を付加することにより、データをフォーマットする情報のユニットは、フォーマット部２８に送られる。コンピュータアプリケーションに関しては、情報のユニットはフォーマット部２８と直接にインターフェースする。フォーマット部２８の出力からのフォーマットされたデータは、例えば、ヘッド２２を駆動する変調信号を発生するチャネル符号化器を有する変調部２９へ送られる。更に変調部２９は、変調信号内に同期信号を入れるための同期化手段を有する。変調部２９の入力に与えられたフォーマットされたユニットはアドレス情報を有し、制御装置２０の制御の下に、記録担体上の対応するアドレス可能な位置へ書き込まれる。通常は、記録装置は、再生装置の読出し及び復号手段と結合された書き込み／読み出しヘッドを有する。
【００１９】
本発明に従って、図２に示す記録装置の制御装置２０は、図４から７を参照して以下に説明する方法に従って、情報を記録する。書き込みのモードは、異なる状況に対して定義される。開始／停止又は、連続書き込みモードが別々に定義される。連続書き込み、前の位置が既に書き込まれたときに書き込み開始、前の位置が消去又は未記録のときに書き込み開始、及び、書き込み終了の、４つの異なる書き込みモードが定義される。
【００２０】
図４は、連続書き込みのための連続するフレームを示す。特別な動作は必要ない。記録装置は、特別な動作無しに、連続してブロックＮ−１からブロックＮを記録する。
【００２１】
図５は、記録された位置の後のブロックＮを記録するためのリンク位置を示す。リンク位置は、新たなフレームの第１の同期信号の前の所定の位置が選択される。所定の距離は、比較的短い（少なくともフレームの後半）が、しかし、実際には、誤りの数を最小にするために、最後に非常に近い。ＤＶＤを記録するために、リンク位置は、前のＥＣＣユニットの最後のＣ１コードワードの１７８バイト後で且つ、次のＥＣＣユニットの前、即ち、同期信号Ｓｙ０の前に配置される。実施例では、新たなデータの開始前に書き込まれるデータはランダムに選択される。これは、相変化記録に対する古いデータと新データの間の相互作用に関しては重要である。互いに同じデータを毎回書き込むと、オーバーライトサイクルの数を制限する。それゆえ、以下の手段が、別個に又は、組合せて含まれる。
−リンキング領域のデータはランダムに選択される。これは、リンキング領域に毎回同じデータがオーバーライトされるのを防ぐ。新たなＥＣＣユニットが、常に全く同じデータを含むときに、ランダムデータを使用するのは重要である。ランダムデータは、新たなＥＣＣユニットの先頭で、ディジタル総和値（ＤＳＶ）の開始値を常に異ならせる。ＤＳＶの値が異なると、データが変化されなくても、以下の信号に差を生じる。そして、これがデータのオーバーライトサイクルの数を改善する。
−リンク位置の小さなランダムシフトが、直接オーバーライトサイクルの改善をするために導入される。
【００２２】
図５には、リンキン距離に関する誤りシンボル（０＜ｘ＜５）の距離が示されている。上述のように、距離ｘは、訂正可能な誤りシンボル数よりも短くなければならない。もちろん、前記訂正可能な誤りシンボル数であれば、実際の距離は、リンキングの不正確さにより次の同期信号Ｓｙ０が損害を受けない距離内に広がる限り、チャネルビットでどのような値を有しても良い。Ｓｙ０同期信号パターンの先頭が損害を受けた場合でも、特別なマークが同期パターンの検出に使用されるので、同期パターン内の特別なマーク、例えば、ラン長１４チャネルビットの長いマークＩ１４が損害を受けない限り許容できる。
【００２３】
図６は、未記録位置後の、ブロックＮの記録の開始位置を示す。前のＥＣＣブロックの位置で、ディスク上に何もデータが記録されていないときには、記録は新たなＥＣＣブロックが開始する前の少なくとも数１００チャネルビットで、開始すべきである。しかし、チャネル電子回路（例えば、ＰＬＬ／スライサ／同期検出）は、調整し且つ同期するのに時間を要するので、長ければ長いほど良い。少なくとも３同期フレームが記録されているときには、同期のフライホイール機構が既に動作している。この場合には、ランダムデータが書き込まれているがしかし、同期パターンももちろん正規の位置に埋め込まれている。実施例では、完全な情報ユニット（例えば、完全なＥＣＣブロック）がダミー情報として加えられる。ダミーユニットは、例えば、ランダムデータで埋められ、又は、記録ブロックＮの繰返しデータでも良い。ダミーユニットを追加することは、フォーマット部２８において、余分な設定又は、専用のフォーマット規則の必要はないが、しかし、制御装置２０において、未記録領域後にブロックＮの記録を開始する１情報ブロック前に書き込み処理を開始する追加のステップが必要である。領域Ｎの前の領域Ｎ−１の状態は、例えば、ディスク上の記録及び未記録領域テーブルのようなディスク制御データから知られ、又は、領域Ｎの書き込みの丁度前の装置により検出される。そのようなディスク制御データは、装置自身により又は、制御コンピュータシステムのソフトウェアディスクオペレーティングシステムにより発生、蓄積、及び、更新される。実施例では、位置Ｎ−１でのダミーユニットの書き込みは、例えば、ユニットＮ−１の同期信号の後の比較的短い距離のような、更なる所定の及び異なるリンク位置で開始される。それにより、既に位置Ｎ−２に記録されたユニットに加えられる損害が避けられる。例えば、装置はヘッドを位置Ｎ−１の先頭に移動し、読出しを開始する。前に記録された信号が検出されない場合には、ダミーユニットの記録は、領域Ｎ−１の開始後のある距離で開始される。しかし、前に記録された信号が検出さた場合には、領域Ｎ−１の最後の前記所定の距離前まで続けられ、即ち、ブロックＮの第１フレームである次のフレームの同期信号の所定の距離前で書き込みが開始される。
【００２４】
図７は、記録された位置の前のブロックＮを記録するための最後の位置を示す。書き込みの最後は、誤り訂正が訂正する誤りが最小となるように、次のＥＣＣブロックの位置の前にできるだけ近いことが好ましい。損害を受けていないパリティシンボルの数ｘは、例えば、ＤＶＤでは５から１０の間が示されており、少なくとも利用できる数の半分が損害を受けない
図８ａは、固定の位置でオーバーライトしたときの読出し信号の効果８１を示し、一方、図８ｂは、異なる位置でオーバーライトしたときの読出し信号の効果８２を示す。読出し信号は、繰返しオーバーライトのリンキングの実際の位置により影響を受ける。リライタブル光ディスクについては、相変化材料が、データの記録に非常にしばしば利用される。相変化記録の既知の現象は、材料の流れである。相変化材料の記録の先頭が（数チャネルビット内で）常に同じ位置で開始するなら、図８Ａに示すように、多くのオーバーライトサイクル後には、信号レベルが大きく変動する。これは、好ましい状況ではない。数チャネルビット以上にランダムにデータをシフトすることにより、ある種の改善が達成できる。しかし、考えは、毎回同じ開始位置から開始せず、記録の開始値をランダムに変えることであるが、一方、次のフレームのデータの物理的な位置は、変更しない。これゆえ、同期信号は、公称位置に配置される。例えば、最初の記録は前のＥＣＣユニットの最後のＣ１コードのバイト番号１８０で開始し、次のＥＣＣユニットの最初のＣ１コードの先頭から２バイト前まで書き込む。（同じ位置での）第２の記録の開始は、前のＥＣＣユニットの最後のＣ１コードのバイト番号１７８で開始し、次のＥＣＣユニットの最初のＣ１コードの先頭から４バイト前まで書き込む。この結果、更なるデータの位置は変更されずに、記録に開始位置を可変できる。どのようなチャネルビット数のランダムな変化をも選択できる。最大と最小の距離は、誤り訂正能力内でのエラーの総数とならなければならない。実際の実施では、最小と最大の距離の間の、ランダムな選択である。
【００２５】
図９は、情報信号を連続的に記録する記録方法を示す。ライタブル形式の記録担体が記録装置に挿入されており、且つ既にある情報が記録されていると仮定する。第１のステップ９１（命令）では、ブロックＮを記録する命令が受信される。第２のステップ９２（走査）では、記録担体上のトラックが、ブロックＮ−１の前の位置まで走査される。最初のテスト９３では、前の位置が未記録であるかどうか（即ち、既にある情報信号を有するかどうか）が決定される。未記録でない場合には、ステップ９５で、開始位置が、図５を参照して上述したように、第１の所定の距離に決定される。前の位置が未記録である場合には、ステップ９４で、図６を参照して上述したように、読出し回路をデータにロックするために、位置Ｎの開始前に長いシーケンスのダミーデータが記録される。前記ステップ９４又は、９５の後のステップ９６では、実際のブロックＮ（又は、図４を参照して上述したように、幾つかの連続するブロック）が記録される。テスト９７では、ブロックＮの後の位置Ｎ＋１の状態が決定される。これは、例えばステップ９２で、記録が開始される前に、トラックを走査することにより達成される。代わりに、記録担体上に又は装置内に、例えばファイル管理システム内に、未記録又は記録済み領域の追跡を行うための特別なテーブルがあっても良い。ブロックＮの後に、信号が何も記録されていない（又は、例えば、消去のような信号が有効な状態を有しない）ときには、ステップでは、少なくともブロックＮの変調された信号が完全に記録するまでは記録処理は継続し、そして、読出し回路が早計に読出しエラーを起こすのを防ぐために、最後のフレームの後のある所定の距離の間継続しても良い。次の位置Ｎ＋１が有効な情報信号を含む場合には、ステップ９９で、記録処理は、図７を参照して説明したように、ブロックＮの変調された信号前の、第２の所定の距離で停止する。ステップ９８又は９９の後に、ブロックＮの記録は完了し、そして、次の命令を待つ。
【００２６】
実施例では、テスト９７は省略され、記録処理は、常に、次のブロックの同期信号の開始の公称位置の前の短い所定の距離で停止する。更に、上述の実施例は、第２の所定の距離は、常に第１の所定の距離よりも短くなるように選択される。これは、連続して記録されたブロック間に未記録のギャップがないという、優位な効果がある。開始及び終了点の不正確さは考慮せねばならないことに注意する。
【００２７】
本発明は、ＤＶＤ光記録フォーマットに従って説明したが、情報のユニットを記録するどのようなフォーマットにも適用できる。例えば、記録担体は磁気形式のディスク又は、テープでも良い。本明細書中で、”有する”という単語は、記載された構成要素又はステップ以外の、他の構成要素又はステップの存在を除外しない。また、参照番号は請求項の範囲を限定しない。本発明は、ハードウェア及び、ソフトウェアの両方で実施でき、そして、幾つかの”手段”は、同じハードウェアで実行できる。更に、本発明の範囲は、実施例に制限されず、本発明は、上述の特徴及び、特徴の組合せである。
【図面の簡単な説明】
【図１】  記録担体を示す図である。
【図２】  記録装置を示す図である。
【図３】  ブロックＮ−１の後にブロックＮを記録することによるリンク位置を示す図である。
【図４】  連続する記録のための連続するフレームを示す図である。
【図５】  記録された位置の後のブロックＮを記録するためのリンク位置を示す図である。
【図６】  記録されていない位置の後のブロックＮを記録するための開始位置を示す図である。
【図７】  記録された位置の前のブロックＮを記録するための最後の位置を示す図である。
【図８Ａ】  固定位置でのオーバーライトの読出し信号効果を示す図である。
【図８Ｂ】  変化する位置でのオーバーライトの読出し信号効果を示す図である。
【図９】  情報信号を連続して記録するための記録方法を示す図である。
【図１ａ】
0004733834.tif 000002
【図１ｂ】
0004733834.tif 000003
【図２】
0004733834.tif 000004
【図３】
0004733834.tif 000005
【図４】
0004733834.tif 000006
【図５】
0004733834.tif 000007
【図６】
0004733834.tif 000008
【図７】
0004733834.tif 000009
【図８Ａ】
0004733834.tif 000010
【図８Ｂ】
0004733834.tif 000011
【図９】
0004733834.tif 000012